(57)【要約】【課題】  コスト安価で強固な固定状態が得られる合成樹脂製のクリップの提供。【解決手段】  一対の拡径孔部を有する取付孔が穿設されたトリムを一対の拡径孔部を有する取付孔が穿設されたパネルに固定する合成樹脂製のクリップであって、一体に連設された頭部１と脚部２とから成り、脚部２は、一の対向する側面に撓み可能に設けられる一対の第１係合腕５と、他の対向する側面に撓み可能に設けられて上記トリムとパネルの各拡径孔部の周縁に個々に当接する当接部９を有する一対の第２係合腕７と、一の対向する側面に設けられて上記各第１係合腕５と共働してパネルの取付孔の孔縁を挾持する一対の第１ストッパー壁１１と、他の対向する側面に設けられて上記各第２係合腕７の当接部９と共働してパネルの拡径孔部の周縁を挾持する一対の第２ストッパー壁１２とを備えることを特徴とする。【選択図】  図１
2008049802.tif 000002
【特許請求の範囲】
【請求項１】
一対の拡径孔部を有する取付孔が穿設されたトリムを一対の拡径孔部を有する取付孔が穿設されたパネルに固定する合成樹脂製のクリップであって、一体に連設された頭部と脚部とから成り、脚部は、一の対向する側面に撓み可能に設けられる一対の第１係合腕と、他の対向する側面に撓み可能に設けられて上記トリムとパネルの各拡径孔部の周縁に個々に当接する当接部を有する一対の第２係合腕と、一の対向する側面に設けられて上記各第１係合腕と共働してパネルの取付孔の孔縁を挾持する一対の第１ストッパー壁と、他の対向する側面に設けられて上記各第２係合腕の当接部と共働してパネルの拡径孔部の周縁を挾持する一対の第２ストッパー壁とを備えることを特徴とするクリップ。
【請求項２】
一対の第２係合腕の先端部に、少なくとも、パネルへの取付時に、対応する一対の第２ストッパー壁を係入するスリットを設けたことを特徴とする請求項１記載のクリップ。
【発明の詳細な説明】
【技術分野】
【０００１】
本発明は、例えば、自動車サンバイザーの軸部を保持するサンバイザーホルダーなどとして好適に使用される合成樹脂製のクリップに関するものである。
【背景技術】
【０００２】
従来のサンバイザーホルダーは、具体的には図示しないが、合成樹脂で別体成形されたホルダー部材とグロメット部材の２部品から成り、前者のホルダー部材は、Ｃ字状の保持部と円筒状の脚部とを備え、該円筒状の脚部の対向する側面に一対の係合爪を撓み可能に形成し、後者のグロメット部材は、全体が中空の直方体状に成形されて、一の対向する側面にルーフトリムを支持する一対の支持片を形成し、他の対向する側面に上記各係合爪が外方へ突出する一対の開口窓を画成する構成となっている（例えば、特許文献１参照）。
【０００３】
そして、実際に、サンバイザーの軸部を保持する場合には、まず、上記したグロメット部材の中空内部にホルダー部材の脚部を押し込んで、ホルダー部材の各係合爪がグロメット部材の対応する開口窓から外方へ突出する状態を得て、ルーフトリムに予め穿設されている取付孔内にホルダー部材と一体化したグロメット部材を挿入すると、上記各支持片が内側に撓みながら取付孔を通過して、ルーフトリムの取付孔の周面を弾性的に支持するので、これにより、サンバイザーホルダーがルーフトリム側に仮止めされる。
【０００４】
そこで、今度は、斯かる状態のまま、グロメット部材をルーフパネルに予め穿設されている取付孔に挿入すると、当該グロメット部材の各開口窓から外方へ突出するホルダー部材の係合爪がルーフパネルの取付孔の孔縁に係合するので、これにより、サンバイザーホルダーがルーフパネル側に本固定される。従って、後は、この固定されたサンバイザーホルダーのＣ字状保持部にサンバイザーの軸部を弾性的に嵌合すれば、当該軸部が脱着可能に保持されることとなる。
【０００５】
又、逆に、このサンバイザーホルダーをルーフパネルから取り外す場合には、ホルダー部材をグロメット部材に対して強制的に相対回転させると、ホルダー部材の上記開口窓から外方へ突出する一対の係合爪がグロメット部材の内部に入り込んで、ルーフパネルの取付孔の孔縁との係合を解くので、このまま、サンバイザーホルダーをルーフトリムと一緒に引き抜けば、サンバイザーホルダーをルーフパネルから取り外すことが可能となる。
【特許文献１】特許第３６２８９４５号公報
【発明の開示】
【発明が解決しようとする課題】
【０００６】
従って、従来のサンバイザーホルダーは、サンバイザーの軸部を確実に保持できることに加えて、工具を使用せずとも、ルーフパネルから容易に取り外すことができる利点を有することとなるが、この為には、ホルダー部材とグロメット部材の２部品が必要となるので、成形金型費を含め、自ずと、コスト高となることは否めないばかりか、ルーフパネルに対する本固定状態にあっては、ホルダー部材の各係合爪がその取付孔の孔縁に２箇所で係合しているだけであるから、ルーフトリムの強固な固定状態が得られない恐れも十分にあった。
【課題を解決するための手段】
【０００７】
本発明は、斯かる従来のサンバイザーホルダーが抱える課題を有効に解決するために開発されたもので、請求項１記載の発明は、一対の拡径孔部を有する取付孔が穿設されたトリムを一対の拡径孔部を有する取付孔が穿設されたパネルに固定する合成樹脂製のクリップであって、一体に連設された頭部と脚部とから成り、脚部は、一の対向する側面に撓み可能に設けられる一対の第１係合腕と、他の対向する側面に撓み可能に設けられて上記トリムとパネルの各拡径孔部の周縁に個々に当接する当接部を有する一対の第２係合腕と、一の対向する側面に設けられて上記各第１係合腕と共働してパネルの取付孔の孔縁を挾持する一対の第１ストッパー壁と、他の対向する側面に設けられて上記各第２係合腕の当接部と共働してパネルの拡径孔部の周縁を挾持する一対の第２ストッパー壁とを備えることを特徴とする。
【０００８】
請求項２記載の発明は、請求項１を前提として、一対の第２係合腕の先端部に、少なくとも、パネルへの取付時に、対応する一対の第２ストッパー壁を係入するスリットを設けたことを特徴とする。
【発明の効果】
【０００９】
依って、請求項１記載の発明にあっては、クリップ自体が合成樹脂の一体成形品であるので、成形金型費を含めて、コストが安価となることは言うまでもない。又、トリムをパネルに固定する場合には、トリム側の取付孔が有する拡径孔部内に一対の第２係合腕を臨ましめながら、トリムの取付孔内に脚部を挿入すると、トリムが頭部と第２係合腕の当接部で支持されるので、これにより、クリップ自体がトリム側に仮止めされる。そこで、このまま、パネル側の取付孔が有する拡径孔部内に同じく一対の第２係合腕を臨ましめながら、パネルの取付孔内に脚部を挿入すると、今度は、一対の第１係合腕が当該取付孔を通過して、第１ストッパー壁と共働してパネルの取付孔の孔縁を挾持すると同時に、一対の第２係合腕の当接部が第２ストッパー壁と共働してパネルの拡径孔部の周縁を挾持するので、これにより、トリムがパネルに本固定される訳であるが、このクリップのパネルに対する取付状態にあっては、一対の第１係合腕と一対の第２係合腕の４箇所で取り付けられるので、トリムの固定状態が頗る安定して強固なものとなる。
【００１０】
請求項２記載の発明にあっては、一対の第２係合腕の先端部にスリットを設けて、少なくとも、クリップのパネルへの取付時には、当該スリット内に第２ストッパー壁を係入させる関係で、パネルの拡径孔部内にある一対の第２係合腕の剛性が向上するので、クリップ自体のトリムやパネルの取付孔内での不要なガタツキを有効に防止できると共に、クリップの取り外しに際しクリップを回転させる場合に、一対の第２係合腕をパネルの取付孔の内側に強制的に撓ませて入り込ませる時にも、やはり、スリット内に第２ストッパー壁が係入して剛性を向上させているので、第２係合腕の回転方向への変形を効果的に抑制して、その破損を有効に防止できる。
【発明を実施するための最良の形態】
【００１１】
本発明は、一対の拡径孔部を有する取付孔が穿設されたトリムを一対の拡径孔部を有する取付孔が穿設されたパネルに固定する合成樹脂製のクリップを前提として、頭部と一体に連設される脚部に対して、一の対向する側面に撓み可能に設けられる一対の第１係合腕と、他の対向する側面に撓み可能に設けられて上記トリムとパネルの各拡径孔部の周縁に個々に当接する当接部を有する一対の第２係合腕と、一の対向する側面に設けられて上記各第１係合腕と共働してパネルの取付孔の孔縁を挾持する一対の第１ストッパー壁と、他の対向する側面に設けられて上記各第２係合腕の当接部と共働してパネルの拡径孔部の周縁を挾持する一対の第２ストッパー壁とを備えさせることにより、クリップ自体のコストを安価にしながら、トリムをパネルに強固に固定せんとするものである。
【実施例】
【００１２】
以下、本発明を図示する好適な実施例に基づいて詳述すれば、該実施例に係るクリップは、自動車サンバイザーの軸部を保持するサンバイザーホルダーとして開発されたもので、合成樹脂で一体に成形されて、その具体的な構造は、図１に示す如く、頭部たるＣ字状の保持部１と角筒状の脚部２とから成る。
【００１３】
そして、前者の保持部１は、図２・図３にも示す如く、そのＣ字形状の内部にサンバイザーの軸部を弾性的に保持するもので、内面側にばね片３と複数の突起４を一体に形成して、ばね片３でサンバイザーの軸部を各突起４方向に押し付けることにより、Ｃ字形状の内部に当該軸部を脱着可能に保持して、通常時は、不用意に抜け外れることを防止する構成となっている。
【００１４】
後者の脚部２は、同じく、図２・図３にも示す如く、角筒状を呈するその一の対向する側面に脚部２の先端から保持部１方向に向って延びる一対の第１係合腕５を切割り６を介して撓み可能に設けると共に、同他の対向する側面に脚部２の先端から保持部１方向に向って拡開しながら延びる一対の第２係合腕７を撓み可能に設けて、第１係合腕５の自由端縁に対しては、後述するルーフパネル２３の取付孔２４の孔縁に係合する係合肩部８を一体に形成し、第２係合腕７の両側縁に対しては、後述するルーフトリム２１とルーフパネル２３の各取付孔２２・２４が有する拡径孔部２２ａ・２４ａの周縁に個々に当接する２個の当接部９を一体に形成する構成となっている。
【００１５】
又、一対の第２係合腕７の先端部中央に対しては、少なくとも、クリップをルーフパネル２３に取り付けた時に、後述する第２ストッパー壁１２を係入するスリット１０を開設する構成を併せて採用している。尚、上記した各当接部９の下面９ａ側には、ルーフトリム２１のみの板厚に対応する場合と、ルーフトリム２１とルーフパネル２３との両板厚に対応する場合を考慮して、テーパー形状が積極的に付与されている。
【００１６】
更に、本実施例にあっては、脚部２の一の対向する側面に上記各第１係合腕５と共働してルーフパネル２３の取付孔２４の孔縁を挾持する二叉状を呈する一対の第１ストッパー壁１１を突設すると共に、同他の対向する側面に上記各第２係合腕７の当接部９と共働してルーフパネル２３の拡径孔部２４ａの周縁を挾持する単一壁からなる一対の第２ストッパー壁１２を突設して、クリップをルーフパネル２３に取り付けた時には、その取付孔２４の孔縁と拡径孔部２４ａの周縁とを４箇所で強固に挾持できる構成となっている。
【００１７】
尚、ルーフトリム２１に穿設される取付孔２２は、図４に示す如く、完全なる正円として形成して、その対向する周縁側に上記各第２係合腕７を差し込む一対の拡径孔部２２ａを形成し、ルーフパネル２３に穿設される取付孔２４も、同図に示す如く、同じく、完全なる正円として形成して、その対向する周縁側に第２係合腕７を差し込む一対の拡径孔部２４ａを形成するものとする。
【００１８】
依って、上記した構成のクリップを用いて、サンバイザーの軸部をその保持部１で保持する場合には、まず、ルーフトリム２１に当該クリップを仮止めすることとなるが、この時には、ルーフトリム２１の取付孔２２の各拡径孔部２２ａに一対の第２係合腕７を臨ましめながら、取付孔２２内に脚部２を先端側から挿入すると、図５に示す如く、一対の第２係合腕７が内側に撓みながら挿入されて、各第２係合腕７の当接部９と各第１係合腕５とが取付孔２２を通過することとなる。尚、この状態において、一対の第１係合腕５間の最大寸法は、ルーフトリム２１の取付孔２２の内径よりも小さく設定されている。
【００１９】
そして、斯かる状態にあっては、保持部１の面取り部１ａが施されている拡大周囲縁と４個の当接部９のテーパー下面９ａとで、ルーフトリム２１を内外側から支持することとなるので、ルーフトリム２１に対するクリップの確実且つ安定した仮止め状態が保障されることとなる。又、この時にも、一対の第２係合腕７の先端部に開設されている各スリット１０内に対応する第２ストッパー壁１２の上端部が係入するように構成すれば、一対の第２係合腕７の剛性が向上してその変形が防止されるので、これにより、不要なガタツキや回転が阻止されて、この点からも、クリップの仮止め状態が一層確実且つ安定化する。尚、この場合は、一対の第１係合腕５の方は、クリップ自体の仮止めには何ら作用していない。
【００２０】
そこで、今度は、ルーフトリム２１側に仮止めされているクリップをルーフパネル２３の取付孔２４内に挿入することとなるが、この時には、やはり、ルーフパネル２３の取付孔２４の各拡径孔部２４ａに一対の第２係合腕７を臨ましめながら、当該取付孔２４内に脚部２を先端側から挿入すると、図６に示す如く、一対の第１係合腕５がルーフパネル２３の取付孔２４の孔縁で内側に撓みながら取付孔２４を通過して、通過後は、その自由端側に形成された各係合肩部８を取付孔２４の孔縁に自動的に係合するので、これにより、一対の第１係合腕５と一対の第１ストッパー壁１１とで取付孔２４の孔縁が内外側から挾持されることとなる。
【００２１】
更に、これに加えて、一対の第２係合腕７の各当接部９のテーパー下面９ａがルーフパネル２３の取付孔２４が有する各拡径孔部２４ａの周縁に当接するので、これにより、一対の第２係合腕７の当接部９と一対の第２ストッパー壁１２とで、当該取付孔２４の拡径孔部２４ａの周縁が内外側から挾持される。従って、これにより、最終的には、ルーフトリム２１がルーフパネル２３に本固定される訳であるが、このクリップのルーフパネル２３に対する取付状態にあっては、一対の第１係合腕５と一対の第２係合腕７の４箇所で取り付けられるので、従来のものと比較すると、トリムの固定状態が頗る強固となる。
【００２２】
又、斯かる状態にあっては、一対の第２係合腕７の先端部に開設されているスリット１０内に対応する第２ストッパー壁１２の上端部が係入することとなるので、ルーフパネル２３の取付孔２４の各拡径孔部２４ａ内に臨んでいる第２係合腕７の剛性が向上して、クリップ自体のルーフトリム２１やルーフパネル２３の取付孔２２・２４内での不要なガタツキを有効に防止できる。従って、後は、具体的には図示しないが、このルーフパネル２３側に取り付けられたクリップの保持部１にサンバイザーの軸部を弾性的に嵌合すれば、当該軸部が脱着可能に保持されることとなる。
【００２３】
逆に、このクリップをルーフパネル２３から取り外す場合には、クリップ自体をその保持部１などを把持して９０°回転させて、ルーフパネル２３の取付孔２４が有する拡径孔部２４ａ内に臨んでいる一対の第２係合腕７を取付孔２４の内側に撓ませながら入り込ませると、今度は、図７に示す如く、当該取付孔２４の各拡径孔部２４ａ内に一対の第１係合腕５が臨むこととなるので、斯かる状態を得た後は、図８に示す如く、クリップを引き抜くだけで、一対の第１係合腕５はルーフトリム２１の取付孔２２が有する各拡径孔部２２ａを通って引き抜かれる。従って、これにより、クリップをルーフパネル２３から簡単に取り外すことが可能となると同時に、ルーフトリム２１の固定状態をも即座に解除して、クリップをルーフトリム２１からも容易に取り外すことが可能となる。
【００２４】
尚、斯かる取り外しに際して、一対の第２係合腕７をルーフパネル２３の取付孔２４の内側に強制的に撓ませて入り込ませる時にも、上記した如く、一対の第２係合腕７のスリット１０内に第２ストッパー壁１２が係入して剛性を向上させているので、各第２係合腕７の回転方向への変形を効果的に抑制して、その破損などを有効に防止できることとなる。
【００２５】
上記した実施例においては、本発明に係るクリップをサンバイザーの軸部を保持するサンバイザーホルダーに応用したものであるが、本発明は、これに限定されるものではなく、保持部１を本来の頭部として利用することにより、単に、自動車のその他のトリムを車体パネルなどに固定するクリップとしても広く応用できるものである。
【産業上の利用可能性】
【００２６】
本発明に係るクリップは、コスト安価で且つトリムをパネルに強固に固定することができるものであるから、これを自動車サンバイザーの軸部を保持するサンバイザーホルダーとして応用すれば、頗る好都合なものとなる。
【図面の簡単な説明】
【００２７】
【図１】本発明の実施例に係るクリップをサンバイザーホルダーとして応用した状態を示す斜視図である。
【図２】（Ａ）は同クリップの正面図、（Ｂ）は同側面図である。
【図３】（Ａ）は図２ＡのＡ−Ａ線断面図、（Ｂ）は図２ＢのＢ−Ｂ線断面図、（Ｃ）は図２ＢのＣ−Ｃ線断面図である。
【図４】ルーフトリムとルーフパネルの各取付孔の形状を説明する要部説明図である。
【図５】（Ａ）は同クリップをルーフトリム側に仮止めした状態を示す要部断面図、（Ｂ）は同平面図である。
【図６】（Ａ）は同クリップをルーフパネル側に固定した状態を示す要部断面図、（Ｂ）は同平面図である。
【図７】（Ａ）は同クリップをルーフパネルの取付孔内で９０°回転した状態を示す要部断面図、（Ｂ）は同平面図である。
【図８】同クリップをルーフパネルから取り外した状態を示す要部断面図である。
【符号の説明】
【００２８】
１      保持部（頭部）
１ａ    面取り部
２      脚部
３      ばね片
４      突起
５      第１係合腕
６      切割り
７      第２係合腕
８      係合肩部
９      当接部
９ａ    当接部のテーパー下面
１０    スリット
１１    第１ストッパー壁
１２    第２ストッパー壁
２１    ルーフトリム（トリム）
２２    取付孔
２２ａ  拡径孔部
２３    ルーフパネル（パネル）
２４    取付孔
２４ａ  拡径孔部
【図１】
2008049802.tif 000003
【図２】
2008049802.tif 000004
【図３】
2008049802.tif 000005
【図４】
2008049802.tif 000006
【図５】
2008049802.tif 000007
【図６】
2008049802.tif 000008
【図７】
2008049802.tif 000009
【図８】
2008049802.tif 000010